(57)【要約】【課題】腰を下ろし楽な姿勢でシャワーを浴びることのできる浴室を提供する。【解決手段】上面外周にフランジ部が形成された平面視長方形状の浴槽２が設置され、壁面にはシャワー１０ｂ付水栓１０が設けられた浴室１であって、浴槽２は、２つの長辺２１ａ，２１ｂおよび１つの短辺２２ａが浴室の壁面１１，１２，１３に当接されているとともに、壁面に当接された一方側の長辺フランジ部２１ａには腰掛部Ｋが形成され、他方側の長辺フランジ部２１ｂが当接する浴室の壁面１３にシャワー付水栓１０が設けられている。【選択図】図６
2008073261.tif 000002
【特許請求の範囲】
【請求項１】
上面外周にフランジ部が形成された平面視長方形状の浴槽が設置され、壁面にはシャワー付水栓が設けられた浴室であって、
前記浴槽は、２つの長辺および１つの短辺が浴室の壁面に当接されて設置されているとともに、該壁面に当接された一方側の長辺のフランジ部に腰掛部が形成されて構成され、該浴槽の他方側の長辺が当接する前記浴室壁面に前記シャワー付水栓が設けられていることを特徴とする浴室。
【請求項２】
前記腰掛部は、前記一方側の長辺のフランジ部の略中央に浴槽内方へ傾斜して形成されていることを特徴とする請求項１に記載の浴室。
【発明の詳細な説明】
【技術分野】
【０００１】
本発明は、楽な姿勢でシャワーを浴びることができる浴室に関するものである。
【背景技術】
【０００２】
従来、特許文献１に開示されているように、ハンドシャワー装置に近接する位置の浴槽に腰掛部が設けられた浴室が存在する。
また、特許文献２に開示されているように、平面視正方形状の浴槽を備え、ユニットバスルームの対角線上に位置する浴槽の上縁面に一段高い腰掛部が形成されたものが存在する。
また、特許文献３に開示されているように、浴槽の上部縁に座席を設けて、座席の上方空間の壁にシャワーノズルを配置した構成のものが存在する。
【特許文献１】実開平５−４３９８８号公報
【特許文献２】実開平５−６７７５９号公報
【特許文献３】特開平６−１２５８５４号公報
【発明の開示】
【発明が解決しようとする課題】
【０００３】
入浴者がシャワーで洗髪する時は、両肘が張るため、左右のスペースを要するが、上記特許文献１に開示されている構成では、浴槽の隅角部に座るために、浴室の壁に肘等が当たりやすく、シャワーが使いづらいという問題点があった。
また、上記特許文献２に開示されている構成においても、浴槽の隅角部に座るために、肘が壁に当たり、シャワーが使いにくいという問題点があった。
また、上記特許文献３に開示されている構成では、浴槽の短辺側に座るものであり、やはり体の左右に肘を動かせるスペースが小さく、シャワーで洗髪しにくいという問題点があった。
【課題を解決するための手段】
【０００４】
本発明は上記従来の問題点に鑑み案出したものであって、腰を掛けて楽な姿勢でシャワーで洗髪することができる浴室を提供するものであり、その請求項１は、上面外周にフランジ部が形成された平面視長方形状の浴槽が設置され、壁面にはシャワー付水栓が設けられた浴室であって、前記浴槽は、２つの長辺および１つの短辺が浴室の壁面に当接されて設置されているとともに、該壁面に当接された一方側の長辺のフランジ部に腰掛部が形成されて構成され、浴槽の他方側の長辺が当接する前記浴室壁面に前記シャワー付水栓が設けられていることである。
【０００５】
また、請求項２は、前記腰掛部は、前記一方側の長辺のフランジ部の略中央に浴槽内方へ傾斜して形成されていることである。
【発明の効果】
【０００６】
本発明は、上面外周にフランジ部が形成された平面視長方形状の浴槽が設置され、壁面にはシャワー付水栓が設けられた浴室であって、前記浴槽は、２つの長辺および１つの短辺が浴室の壁面に当接されて設置されているとともに、該壁面に当接された一方側の長辺のフランジ部に腰掛部が形成されて構成され、浴槽の他方側の長辺が当接する前記浴室壁面に前記シャワー付水栓が設けられていることにより、浴槽内でシャワーを浴びる際に、浴槽の長辺に形成されている腰掛部に腰を下ろして楽な姿勢でシャワーを浴びることができ、浴槽が小さい場合でもシャワー動作の際に肘等が壁に当たることがなく、壁までの横方向スペースを十分に確保できて、良好にシャワーで洗髪することができるものとなる。
また、腰掛部がフランジ部に形成されるので、比較的腰の高い腰掛姿勢となり、即ち、立った姿勢に近いので、シャワーを全身に浴びやすく、さらに、足がつっかえることもない。
また、腰掛部は幅が広いために、その上にシャワーボトル等を置くことができ、棚としても利用することができるものとなる。
【０００７】
また、前記腰掛部は、前記一方側の長辺のフランジ部の略中央に浴槽内方へ傾斜して形成されていることにより、安定して腰を掛けることができ、また、腰掛部以外の長辺のフランジ部が浴槽を狭くすることがない。
【実施例】
【０００８】
以下、本発明の実施例を図面に基づいて説明する。
図１は、浴室の正面構成図であり、図２は、図１の平面構成図である。
浴室１内には、浴槽２が設置されており、浴槽２に出入りする側にはカーテン３が設けられ、カーテン３の図示右側の室内には、便器４が設置され、また、洗面器５，ペーパーホルダー６，鏡７，棚８，タオル掛け９が設けられている。なお、図中１４は、出入り口である。
【０００９】
本例の浴槽２は、平面視長方形状に形成されたものであり、上面外周にはフランジ部が形成され、一方側の長辺を形成する長辺フランジ部２１ａと、対向する他方側の長辺を形成する長辺フランジ部２１ｂと、カーテン３に対向する側の短辺を形成する短辺フランジ部２２ａが、浴室１を構成する第１壁面１１，第３壁面１３，第２壁面１２にそれぞれ当接して、カーテン３側の短辺フランジ部２２ｂ側のみが開放されて、この短辺フランジ部２２ｂ側から跨ぎ込んで浴槽２内に入ることができるように構成されている。
【００１０】
本例では、長辺フランジ部２１ｂ側の第３壁面１３に水栓１０が設けられており、この水栓１０にはシャワーホース１０ａを介してシャワーヘッド１０ｂが接続され、シャワーヘッド１０ｂからシャワー水を噴出させて使用できるように構成されており、第３壁面１３には、高い位置に上フック３０ａが、また低い位置に下フック３０ｂが設けられて、何れかのフック３０ａ，３０ｂにシャワーヘッド１０ｂを掛止できるように構成されている。
本例の浴槽２は、水栓１０と反対側の第１壁面１１側の長辺フランジ部２１ａの幅寸法ａが１０ｃｍ以上の幅広に形成されており、反対側の第３壁面１３側の長辺フランジ部２１ｂの幅寸法ｂは５〜６ｃｍ程度に設定されている。
【００１１】
なお、図３は、浴槽の変更例を示す図２に対応した浴室の平面構成図であり、図３では、長辺フランジ部２１ａの中央部に膨出状に腰掛部Ｋが形成された浴槽２が設置されたものである。
浴槽２の形状を明瞭にするために、図４〜図１０において種々のタイプの浴槽を斜視図で示す。
【００１２】
図４に斜視図で示す浴槽２は、前記図２に平面図で示した浴槽であり、第１壁面１１に当接された長辺フランジ部２１ａが幅広に形成されて、この長辺フランジ部２１ａの上面が腰掛部Ｋとなっており、反対側の長辺フランジ部２１ｂ側の第３壁面１３にシャワー付水栓１０が設置されるものである。
浴槽２は、この長辺フランジ部２１ａのみが幅広の腰掛部Ｋとなっており、その他の長辺フランジ部２１ｂおよび短辺フランジ部２２ａ，２２ｂの幅は、５〜６ｃｍ程度の幅に形成されており、長辺フランジ部２１ａ，２１ｂから略垂下状に長辺立上面２３が形成されており、また、短辺フランジ部２２ａ，２２ｂから略垂下状に短辺立上面２４が形成されており、底側に底面２５が形成されている。
【００１３】
次に、図５に斜視図で示す浴槽は、前記図３に平面図で示した浴槽であり、この浴槽２は、長辺フランジ部２１ａの略中央部に、長辺フランジ部２１ｂ側へ湾曲状に膨出して幅寸法ｃが略２０ｃｍの腰掛部Ｋが形成されており、この腰掛部Ｋの上面は、底面２５側へ下傾した傾斜面Ｋａとなっている。なお、腰掛部Ｋに対応して長辺立上面２３の中央部は長辺フランジ部２１ｂ側へ湾曲した膨出柱部２３ａとされている。
【００１４】
前記図４の腰掛部Ｋあるいは図５の腰掛部Ｋに腰を掛けた状態で、図６に示すように、シャワーヘッド１０ｂを手で持つ等して、良好に浴槽２内でシャワーを浴びることができ、シャワーを浴びる際に楽な姿勢を保つことができ、浴槽２が小さい場合でも腰掛部Ｋは長辺フランジ部２１ａに形成されているため、両腕の横方向には十分なスペースが確保されて、シャワーで洗髪する際等に、肘等が壁に当たることなく良好にシャワー動作を行うことができるものとなる。
【００１５】
なお、図５のように、腰掛部Ｋが傾斜面Ｋａとなっていれば、腰掛動作を容易に行うことができ、より楽な姿勢をシャワー時にとることができるものとなる。
なお、長辺フランジ部２１ａが幅広であるため、図４あるいは図６のように、腰掛部Ｋが略水平となっていれば、その上面にシャワーボトル等を置くことができるものである。
【００１６】
次に、図７に示す浴槽は、長辺フランジ部２１ａの中央部に、底面２５側に向かって下傾状の傾斜面Ｋａを備えた腰掛部Ｋを一体形成したものであり、この腰掛部Ｋは横方向に長く形成されているため、浴槽１内に入った状態で、この腰掛部Ｋに腰掛けて良好にシャワーを浴びることができるものである。
【００１７】
また、図８の浴槽は、長辺フランジ部２１ａに、上面に傾斜面Ｋａを備えた腰掛部Ｋが浴槽内側へ膨出状に一体形成されており、また、図８では、短辺フランジ部２２ａ，２２ｂ側の短辺立上面２４が円弧形状に形成されたものである。
【００１８】
更に、図９に斜視図で示す浴槽は、腰掛部Ｋが、浴槽の内側に向かって下傾しながら凹状に湾曲した傾斜湾曲面Ｋｂとなっており、この傾斜湾曲面Ｋｂ上に腰を深く落とし込んで、安定して腰を掛けることができるように構成したものである。また、膨出柱部２３ａは、底面２５側に向かって下端側の幅が狭められて略三角形状に一体形成されている。
【００１９】
また、図１０に示す浴槽２では、長辺フランジ部２１ａの中央部に、底面２５側へ下傾した傾斜面Ｋａを有する腰掛部Ｋが形成されており、この腰掛部Ｋの内端は長辺立上面２３と面一にされており、長辺立上面２３側には膨出する膨出柱部２３ａが存在しないために、浴槽２内を広く確保することができるものである。
なお、このような構成においても、腰掛部Ｋに楽な姿勢で腰掛けて、浴槽２内でシャワーを良好に浴びることができ、肘等が当たることがなく、狭い浴槽２でも良好なシャワー動作が行えるものである。また、長辺フランジ部２１ａ上には、シャワーボトル等を良好に置くことができるものである。
【図面の簡単な説明】
【００２０】
【図１】浴室の正面構成図である。
【図２】図１の浴室の平面構成図である。
【図３】異なる浴槽を設置した浴室の平面構成図である。
【図４】浴槽の斜視構成図である。
【図５】異なる形状の浴槽の斜視構成図である。
【図６】図５の浴槽の腰掛部に腰掛けて浴槽内でシャワーを使用している使用状態図である。
【図７】更に異なる浴槽の斜視構成図である。
【図８】更に異なる浴槽の斜視構成図である。
【図９】更に異なる浴槽の斜視構成図である。
【図１０】更に異なる浴槽の斜視構成図である。
【符号の説明】
【００２１】
１  浴室
２  浴槽
３  カーテン
１０  水栓
１０ａ  シャワーホース
１０ｂ  シャワーヘッド
１１  第１壁面
１２  第２壁面
１３  第３壁面
２１ａ，２１ｂ  長辺フランジ部
２２ａ，２２ｂ  短辺フランジ部
２３  長辺立上面
２３ａ  膨出柱部
２４  短辺立上面
２５  底面
Ｋ  腰掛部
Ｋａ  傾斜面
Ｋｂ  傾斜湾曲面
【図１】
2008073261.tif 000003
【図２】
2008073261.tif 000004
【図３】
2008073261.tif 000005
【図４】
2008073261.tif 000006
【図５】
2008073261.tif 000007
【図６】
2008073261.tif 000008
【図７】
2008073261.tif 000009
【図８】
2008073261.tif 000010
【図９】
2008073261.tif 000011
【図１０】
2008073261.tif 000012